(57)【要約】【課題】ヘッダの長手方向における扁平管の高集積化またはヘッダの長手方向をコンパクト化させることが可能な熱交換器および空気調和装置を提供する。【解決手段】ヘッダ９０と、ヘッダ９０の長手方向に沿って並んでおり、ヘッダ９０に接続される複数の扁平多穴管６３と、ヘッダ９０の内部空間を、複数の扁平多穴管６３が接続されている側の上昇用空間９８Ａと、上昇用空間９８Ａとは反対側の下降用空間９８Ｂと、に仕切る循環用区切板９５と、ヘッダ９０の内部空間を、ヘッダ９０の長手方向における上方と下方とに仕切るノズル付き部分傾斜区切部材７０とを備え、循環用区切板９５は、ノズル付き部分傾斜区切部材７０が挿入される上方挿入開口部分９５ｓと、扁平多穴管６３側の空間とこれとは反対側の空間との間での冷媒の移動を可能にさせる連絡口９５ｃと、を含む共用開口９５Ｕを有している。【選択図】図１１
2019056542.tif 000002
【特許請求の範囲】
【請求項１】
ヘッダ（９０、５０）と、
前記ヘッダの長手方向に沿って並んでおり、前記ヘッダに接続される複数の扁平管（６３）と、
前記ヘッダの内部空間を、前記複数の扁平管が接続されている側の扁平管側空間（９８Ａ）と、前記扁平管側空間とは反対側の反扁平管側空間（９８Ｂ）と、に仕切る第１仕切部材（９５）と、
前記ヘッダの内部空間を、前記ヘッダの長手方向における第１側と前記第１側とは反対側である第２側とに仕切る第２仕切部材（７０、９１、２７１、３７０、３９１）と、
を備え、
前記第１仕切部材は、挿入開口部分（９５ｓ、９５ｔ）と、前記扁平管側空間と前記反扁平管側空間との間での冷媒の移動を可能にさせる冷媒開口部分（９５ｃ）と、を含む共用開口（９５Ｕ）を有しており、
前記第２仕切部材（７０、９１、２７１、３７０、３９１）は、前記挿入開口部分（９５ｓ、９５ｔ）に挿入されている、
熱交換器（１１、１１ａ）。
【請求項２】
前記第１仕切部材の前記共用開口の輪郭は、前記ヘッダの長手方向における前記第２仕切部材の位置を定める形状（９５ｄ）を有している、
請求項１に記載の熱交換器。
【請求項３】
前記第２仕切部材は、前記ヘッダの長手方向における前記第１側と前記第２側とに仕切っており前記冷媒開口部分（９５ｃ）の前記第１側に位置する第１側部材（７０、２７１、３７０）と、前記ヘッダの長手方向における前記第１側と前記第２側とに仕切っており前記冷媒開口部分（９５ｃ）の前記第２側に位置する第２側部材（９１、３９１）と、を有しており、
前記第１仕切部材の前記共用開口は、前記冷媒開口部分（９５ｃ）と、前記挿入開口部分である第１側挿入開口部分（９５ｓ）および第２側挿入開口部分（９５ｔ）と、を含んでおり、
前記第１側部材（７０、２７１、３７０）は、前記第１側挿入開口部分（９５ｓ）に挿入されており、
前記第２側部材（９１、３９１）は、前記第２側挿入開口部分（９５ｔ）に挿入されている、
請求項１または２に記載の熱交換器。
【請求項４】
前記扁平管は、前記ヘッダの内部空間のうち前記冷媒開口部分（９５ｃ）を挟むように前記第１側部材（７０、２７１、３７０）と前記第２側部材（９１、３９１）とで囲まれた空間（９７）には接続されていない、
請求項３に記載の熱交換器。
【請求項５】
前記第１側部材（７０、２７１、３７０）は、前記扁平管側空間または前記反扁平管側空間において前記ヘッダの長手方向に貫通したノズル（７１ａ）を有している、
請求項３または４に記載の熱交換器。
【請求項６】
前記第１側部材（７０、２７１、３７０）は、前記扁平管側空間において前記ヘッダの長手方向に貫通したノズル（７１ａ）を有しており、
前記ヘッダの内部空間のうち前記第１側部材（７０、２７１、３７０）と前記第２側部材（９１、３９１）とで囲まれた空間の前記反扁平管側空間に接続された冷媒配管（２４、２５）をさらに備えている、
請求項３から５のいずれか１項に記載の熱交換器。
【請求項７】
前記第１仕切部材（９５）は、
前記第１側部材（７０、３７０）に対して前記ヘッダの長手方向における前記第１側において、前記扁平管側空間と前記反扁平管側空間とを接続する第１循環開口部分（９５ｂ）と、
前記扁平管側空間と前記反扁平管側空間とを前記第１循環開口部分（９５ｂ）よりも前記ヘッダの長手方向における前記第１側において接続する第２循環開口部分（９５ａ）と、
を有しており、
前記第１仕切部材の前記共用開口（９５Ｕ）は、前記冷媒開口部分（９５ｃ）と、前記第１側挿入開口部分（９５ｓ）と、前記第２側挿入開口部分（９５ｔ）と、前記第１循環開口部分（９５ｂ）と、を含んでいる、
請求項５または６に記載の熱交換器。
【請求項８】
前記第１仕切部材（９５）は、
前記第１側部材（７０、２７１、３７０）に対して前記ヘッダの長手方向における前記第１側において、前記扁平管側空間と前記反扁平管側空間とを接続する第１循環開口部分（９５ｂ）と、
前記扁平管側空間と前記反扁平管側空間とを前記第１循環開口部分（９５ｂ）よりも前記ヘッダの長手方向における前記第１側において接続する第２循環開口部分（９５ａ）と、
を有しており、
前記第１循環開口部分（９５ｂ）と前記第２循環開口部分（９５ａ）と前記冷媒開口部分（９５ｃ）と前記第１側挿入開口部分（９５ｓ）と前記第２側挿入開口部分（９５ｔ）と前記第１側部材（７０、２７１、３７０）と前記第２側部材（９１、３９１）とを一組とする構造が前記ヘッダの長手方向に繰り返し並んで設けられており、
前記第１仕切部材の前記共用開口（９５Ｕ）は、
同じ前記一組に属している、前記冷媒開口部分（９５ｃ）と、前記第１側挿入開口部分（９５ｓ）と、前記第２側挿入開口部分（９５ｔ）と、
前記一組に対して前記第２側に位置する他の一組に属している前記第２循環開口部分（９５ａ）と、
を含んでいる、
請求項５または６に記載の熱交換器。
【請求項９】
前記第１仕切部材（９５）は、
前記第１側部材（７０、２７１、３７０）に対して前記ヘッダの長手方向における前記第１側において、前記扁平管側空間と前記反扁平管側空間とを接続する第１循環開口部分（９５ｂ）と、
前記扁平管側空間と前記反扁平管側空間とを前記第１循環開口部分（９５ｂ）よりも前記ヘッダの長手方向における前記第１側において接続する第２循環開口部分（９５ａ）と、
を有しており、
前記第１循環開口部分（９５ｂ）と前記第２循環開口部分（９５ａ）と前記冷媒開口部分（９５ｃ）と前記第１側挿入開口部分（９５ｓ）と前記第２側挿入開口部分（９５ｔ）と前記第１側部材（７０、３７０）と前記第２側部材（９１、３９１）とを一組とする構造が前記ヘッダの長手方向に繰り返し並んで設けられており、
前記第１仕切部材の前記共用開口（９５Ｕ）は、
同じ前記一組に属している、前記冷媒開口部分（９５ｃ）と、前記第１側挿入開口部分（９５ｓ）と、前記第２側挿入開口部分（９５ｔ）と、前記第１循環開口部分（９５ｂ）と、
前記一組に対して前記第２側に位置する他の一組に属している前記第２循環開口部分（９５ａ）と、
を含んでいる、
請求項５または６に記載の熱交換器。
【請求項１０】
前記第２循環開口部分（９５ａ）の開口面積は、前記第１循環開口部分（９５ｂ）の開口面積よりも広い、
請求項７から９のいずれか１項に記載の熱交換器。
【請求項１１】
前記第１側部材（７０、２７１、３７０）の前記ノズル（７１ａ）は、前記第１循環開口部分（９５ｂ）を前記扁平管が伸びている側に伸ばして得られる仮想空間とは、前記ヘッダの長手方向視において重複しない位置に配置されている、
請求項７から１０のいずれか１項に記載の熱交換器。
【請求項１２】
前記第１側部材（７０、２７１、３７０）の前記ノズル（７１ａ）は、前記ヘッダの内周面および前記第１仕切部材（９５）から１ｍｍ以上離れた位置に配置されている、
請求項５から１１のいずれか１項に記載の熱交換器。
【請求項１３】
前記ヘッダの長手方向は鉛直方向である、
請求項１から１２のいずれか１項に記載の熱交換器。
【請求項１４】
請求項１から１３のいずれか１項に記載の熱交換器（１１、１１ａ）を備えた空気調和装置（１）。
【発明の詳細な説明】
【技術分野】
【０００１】
本開示は、熱交換器および空気調和装置に関する。
【背景技術】
【０００２】
従来より、複数の扁平管と、複数の扁平管に接合されたフィンと、複数の扁平管の端部に連結されたヘッダとを備え、扁平管の内部を流れる冷媒を扁平管の外部を流れる空気と熱交換させる熱交換器が知られている。
【０００３】
例えば、特許文献１（特開２０１６−１２５７４８号公報）に記載の熱交換器では、ヘッダ内の空間を水平に広がった仕切部材で上方空間と下方空間とに仕切りつつ、各高さ位置に接続された複数の扁平管に対して分流された冷媒を供給可能としたものが提案されている。
【発明の概要】
【発明が解決しようとする課題】
【０００４】
ところが、この特許文献１に記載の熱交換器では、ヘッダ内部を扁平多穴管側の空間とこれとは反対側の空間とに仕切る上下に延びた仕切板に対して、ヘッダ内の空間を上下に仕切るための仕切部材を固定するための差し込み用の開口と、扁平管側空間とその反対側の空間との間での冷媒の移動を可能にさせる開口と、が別々の開口としてヘッダの長手方向に並んで設けられている。
【０００５】
このため、ヘッダの長手方向における扁平管の高集積化またはコンパクト化が困難であった。
【０００６】
本開示は上述した点に鑑みてなされたものであり、本開示の課題は、ヘッダの長手方向における扁平管の高集積化またはヘッダの長手方向をコンパクト化させることが可能な熱交換器および空気調和装置を提供することにある。
【課題を解決するための手段】
【０００７】
第１観点に係る熱交換器は、ヘッダと、複数の扁平管と、第１仕切部材と、第２仕切部材と、複数の扁平管は、ヘッダの長手方向に沿って並んでおり、ヘッダに接続される。第１仕切部材は、ヘッダの内部空間を、複数の扁平管が接続されている側の扁平管側空間と、扁平管側空間とは反対側の反扁平管側空間と、に仕切る。第２仕切部材は、ヘッダの内部空間を、ヘッダの長手方向における第１側と第１側とは反対側である第２側とに仕切る。第１仕切部材は、挿入開口部分と、冷媒開口部分と、を含む共用開口を有している。冷媒開口部分は、扁平管側空間と反扁平管側空間との間での冷媒の移動を可能にさせる。第２仕切部材は、挿入開口部分に挿入されている。
【０００８】
この共用開口は、互いに分離された箇所の無い、１つの開口であることが好ましい。なお、第１仕切部材に複数の開口が設けられている場合に、これらの開口の全てが共用開口である必要は無く、少なくとも一部において共用開口となっていれば、当該部分において高集積化またはコンパクト化が可能となる。
【０００９】
ここで、扁平管は、特に限定されず、例えば、流路断面の長手方向に複数の流路が並んで形成されているものであってもよい。
【００１０】
なお、第２仕切部材は、ヘッダの内部空間を、ヘッダの長手方向における第１側と第２側とに仕切るものであれば特に限定されず、平板状のものであってもよいし、特定の面およびそれに対して傾斜した面を有して構成されたものであってもよい。
【００１１】
この熱交換器では、ヘッダの内部空間をヘッダの長手方向における第１側と第２側とに仕切る第２仕切部材が挿入開口部分に挿入されている。そして、第１仕切部材には、この挿入開口部分と、扁平管側空間と反扁平管側空間との間での冷媒の移動を可能にさせる冷媒開口部分と、の両方の部分を含んで構成された共用開口が設けられている。このため、ヘッダの長手方向における扁平管の高集積化またはヘッダの長手方向をコンパクト化させることが可能になっている。
【００１２】
第２観点に係る熱交換器は、第１観点に係る熱交換器であって、第１仕切部材の共用開口の輪郭は、ヘッダの長手方向における第２仕切部材の位置を定める形状を有している。
【００１３】
ここで、共用開口の輪郭が有する第２仕切部材の位置を定める形状とは、特に限定されるものではなく、例えば、第２仕切部材の輪郭の一部に沿った形状であってもよいし、第２仕切部材の少なくとも一部を第１側と第２側から挟持する形状であってもよい。このような形状としては、例えば、共用開口の輪郭のうち、ヘッダの長手方向における両端以外の位置において、共用開口の内側に向けて突出した凸部を有する形状であってもよいし、当該凸部は一対の凸部として共用開口の輪郭のうち互いに近づく部分として構成されていてもよい。なお、共用開口のうち、当該一対の凸部同士の間の開口部分が冷媒開口部分を構成していることが好ましい。
【００１４】
この熱交換器では、第１仕切部材の共用開口によって、ヘッダの長手方向における第２仕切部材の位置を定めることが可能になる。
【００１５】
第３観点に係る熱交換器は、第１観点または第２観点に係る熱交換器であって、第２仕切部材は、第１側部材と第２側部材とを有している。第１側部材は、ヘッダの長手方向における第１側と第２側とに仕切っており、冷媒開口部分の第１側に位置している。第２側部材は、ヘッダの長手方向における第１側と第２側とに仕切っており、冷媒開口部分の第２側に位置している。第１仕切部材の共用開口は、冷媒開口部分と、挿入開口部分である第１側挿入開口部分および第２側挿入開口部分と、を含んでいる。第１側部材は、第１側挿入開口部分に挿入されている。第２側部材は、第２側挿入開口部分に挿入されている。
【００１６】
この熱交換器では、第２仕切部材が、第１側部材と第２側部材の別々の複数の部材で構成されている場合であっても、第１側部材を挿入するための第１側挿入開口部分と、第２側部材を挿入するための第２側挿入開口部分と、冷媒開口部分と、を共用開口に含ませることで、更なる、ヘッダの長手方向における扁平管の高集積化またはヘッダの長手方向のコンパクト化が可能になる。
【００１７】
第４観点に係る熱交換器は、第３観点に係る熱交換器であって、扁平管は、ヘッダの内部空間のうち冷媒開口部分挟むように第１側部材と第２側部材とで囲まれた空間には接続されていない。
【００１８】
仮に、ヘッダの内部空間のうち冷媒開口部分を挟むように第１側部材と第２側部材とで囲まれた空間に扁平管が接続された場合には、当該扁平管に対して冷媒が集中的に供給されてしまい、冷媒の偏流が生じがちになる。これに対して、この熱交換器では、第１側部材と第２側部材とで囲まれた空間に扁平管が接続されていないため、上記冷媒の偏流を抑制することが可能になる。
【００１９】
第５観点に係る熱交換器は、第３観点または第４観点に係る熱交換器であって、第１側部材は、扁平管側空間または反扁平管側空間においてノズルを有している。ノズルは、第１側部材をヘッダの長手方向に貫通している。
【００２０】
この熱交換器では、第１側部材の扁平管側空間または反扁平管側空間にノズルが設けられているため、第１側部材の第２側に送られた冷媒を、当該ノズルを介して第１側に向けて十分に到達させることが可能となる。
【００２１】
第６観点に係る熱交換器は、第３観点から第５観点のいずれかに係る熱交換器であって、ヘッダの内部空間のうち第１側部材と第２側部材とで囲まれた空間の反扁平管側空間に接続された冷媒配管をさらに備えている。第１側部材は、扁平管側空間においてヘッダの長手方向に貫通したノズルを有している。
【００２２】
この熱交換器では、第１側部材の第２側の反扁平管側空間に供給された冷媒を、扁平管側空間に設けられたノズルを介して、扁平管側空間における第１側に向けて十分に到達させることが可能となる。
【００２３】
第７観点に係る熱交換器は、第５観点または第６観点に係る熱交換器であって、第１仕切部材は、第１循環開口部分と、第２循環開口部分と、を有している。第１循環開口部分は、第１側部材に対してヘッダの長手方向における第１側において、扁平管側空間と反扁平管側空間とを接続する。第２循環開口部分は、扁平管側空間と反扁平管側空間とを第１循環開口部分よりもヘッダの長手方向における第１側において接続する。第１仕切部材の共用開口は、冷媒開口部分と、第１側挿入開口部分と、第２側挿入開口部分と、第１循環開口部分と、を含んでいる。
【００２４】
この熱交換器では、第１仕切部材には、第１側部材に対してヘッダの長手方向における第１側において、第１循環開口部分と第２循環開口部分が設けられているため、ヘッダの内部空間のうち、第１側部材に対してヘッダの長手方向における第１側の空間において、冷媒を循環させることが可能になる。そして、このようなヘッダ内部での冷媒の循環を可能にする場合においても、共用開口は、冷媒開口部分と、第１側挿入開口部分と、第２側挿入開口部分と、第１循環開口部分と、を含んで構成されているため、ヘッダの長手方向における扁平管の高集積化またはヘッダの長手方向のコンパクト化が可能になる。
【００２５】
第８観点に係る熱交換器は、第５観点または第６観点に係る熱交換器であって、第１仕切部材は、第１循環開口部分と、第２循環開口部分と、を有している。第１循環開口部分は、第１側部材に対してヘッダの長手方向における第１側において、扁平管側空間と反扁平管側空間とを接続する。第２循環開口部分は、扁平管側空間と反扁平管側空間とを第１循環開口部分よりもヘッダの長手方向における第１側において接続する。第１循環開口部分と第２循環開口部分と冷媒開口部分と第１側挿入開口部分と第２側挿入開口部分と第１側部材と第２側部材とを一組とする構造がヘッダの長手方向に繰り返し並んで設けられている。第１仕切部材の共用開口は、同じ一組に属している、冷媒開口部分と、第１側挿入開口部分と、第２側挿入開口部分と、一組に対して第２側に位置する他の一組に属している第２循環開口部分と、を含んでいる。
【００２６】
この熱交換器では、第１仕切部材には、第１側部材に対してヘッダの長手方向における第１側において、第１循環開口部分と第２循環開口部分が設けられているため、ヘッダの内部空間のうち、第１側部材に対してヘッダの長手方向における第１側の空間において、冷媒を循環させることが可能になる。また、第１循環開口部分と第２循環開口部分と冷媒開口部分と第１側挿入開口部分と第２側挿入開口部分と第１側部材と第２側部材とを一組とする構造がヘッダの長手方向に繰り返し並んで設けられているため、上記ヘッダ内部での冷媒の循環を、ヘッダ内部の複数個所において実現させることが可能となる。そして、このようなヘッダ内部の複数個所における冷媒の循環を可能にする場合においても、共用開口は、同じ一組に属している冷媒開口部分と第１側挿入開口部分と第２側挿入開口部分と、当該一組に対して第２側に位置する他の一組に属している第２循環開口部分と、を含んで構成されているため、ヘッダの長手方向における扁平管の高集積化またはヘッダの長手方向のコンパクト化が可能になる。
【００２７】
第９観点に係る熱交換器は、第５観点または第６観点に係る熱交換器であって、第１仕切部材は、第１循環開口部分と、第２循環開口部分と、を有している。第１循環開口部分は、第１側部材に対してヘッダの長手方向における第１側において、扁平管側空間と反扁平管側空間とを接続する。第２循環開口部分は、扁平管側空間と反扁平管側空間とを第１循環開口部分よりもヘッダの長手方向における第１側において接続する。第１循環開口部分と第２循環開口部分と冷媒開口部分と第１側挿入開口部分と第２側挿入開口部分と第１側部材と第２側部材とを一組とする構造がヘッダの長手方向に繰り返し並んで設けられている。第１仕切部材の共用開口は、同じ一組に属している、冷媒開口部分と、第１側挿入開口部分と、第２側挿入開口部分と、第１循環開口部分と、一組に対して第２側に位置する他の一組に属している第２循環開口部分と、を含んでいる。
【００２８】
この熱交換器では、第１仕切部材には、第１側部材に対してヘッダの長手方向における第１側において、第１循環開口部分と第２循環開口部分が設けられているため、ヘッダの内部空間のうち、第１側部材に対してヘッダの長手方向における第１側の空間において、冷媒を循環させることが可能になる。また、第１循環開口部分と第２循環開口部分と冷媒開口部分と第１側挿入開口部分と第２側挿入開口部分と第１側部材と第２側部材とを一組とする構造がヘッダの長手方向に繰り返し並んで設けられているため、上記ヘッダ内部での冷媒の循環を、ヘッダ内部の複数個所において実現させることが可能となる。そして、このようなヘッダ内部の複数個所における冷媒の循環を可能にする場合においても、共用開口は、同じ一組に属している冷媒開口部分と第１側挿入開口部分と第２側挿入開口部分と第１循環開口部分と、当該一組に対して第２側に位置する他の一組に属している第２循環開口部分と、を含んで構成されているため、ヘッダの長手方向における扁平管の高集積化またはヘッダの長手方向のコンパクト化が可能になる。
【００２９】
第１０観点に係る熱交換器は、第７観点から第９観点のいずれかに係る熱交換器であって、第２循環開口部分の開口面積は、第１循環開口部分の開口面積よりも広い。
【００３０】
この熱交換器では、ノズルから吐出された冷媒が第１側部材の第１側の空間における第１側の部分に多く送られる状況になることがあっても、第２循環開口部分が第１循環開口部分よりも広く形成されているため、第２循環開口部分を冷媒が通過しやすい。このため、当該冷媒が部分的に集まることを抑制することが可能となる。
【００３１】
第１１観点に係る熱交換器は、第７観点から第１０観点のいずれかに係る熱交換器であって、第１側部材のノズルは、第１循環開口部分を扁平管が伸びている側に伸ばして得られる仮想空間とは、ヘッダの長手方向視において重複しない位置に配置されている。
【００３２】
この熱交換器では、第１循環開口部分を通過した冷媒と、第１側部材のノズルを通過した冷媒と、の衝突を抑制することが可能になるため、第１側部材のノズルを通過した冷媒をより第１側に到達させることが可能となる。
【００３３】
第１２観点に係る熱交換器は、第５観点から第１１観点のいずれかに係る熱交換器であって、第１側部材のノズルは、ヘッダの内周面および第１仕切部材から１ｍｍ以上離れた位置に配置されている。
【００３４】
この熱交換器では、各部材を互いにロウ付けすることで固定して製造する場合であっても、第１側部材のノズルがロウ材で埋められてしまうことを抑制することが可能になる。特に、第１１観点に係る熱交換器において、第１側部材のノズルを、ヘッダの内周面および第１仕切部材から１ｍｍ以上離れた位置に配置させた場合には、第１循環開口部分を通過した冷媒と、第１側部材のノズルを通過した冷媒と、の衝突が抑制されるようなノズルの配置を採用した場合であっても、ノズルがロウ材で埋められてしまうことを抑制することが可能になる。
【００３５】
第１３観点に係る熱交換器は、第１観点から第１２観点のいずれかに係る熱交換器であって、ヘッダの長手方向は鉛直方向である。
【００３６】
この熱交換器では、鉛直方向における扁平管の高集積化またはコンパクト化が可能になる。
【００３７】
第１４観点に係る空気調和装置は、第１観点から第１３観点のいずれかに係る熱交換器を備えた空気調和装置である。
【００３８】
この空気調和装置は、熱交換器の扁平管を高集積化または熱交換器をコンパクト化させることで、空調性能を向上させるかまたは空気調和装置をコンパクト化させることが可能になる。
【図面の簡単な説明】
【００３９】
【図１】本開示の一実施形態に係る熱交換器が採用された空気調和装置の概略構成図である。
【図２】室外ユニットの外観斜視図である。
【図３】室外ユニットの正面図（室外熱交換器以外の冷媒回路構成部品を除いて図示）である。
【図４】室外熱交換器の概略斜視図である。
【図５】図４の熱交換部の部分拡大図である。
【図６】伝熱フィンの扁平多穴管に対する取付状態を示す概略図である。
【図７】室外熱交換器の冷媒流れを説明するための構成図である。
【図８】室外熱交換器の第２ヘッダ集合管の上端近傍部分における空気流れ方向視の概略断面構成図である。
【図９】室外熱交換器の第２ヘッダ集合管の上端近傍部分における上面視の概略断面構成図である。
【図１０】ノズル付き部分傾斜区切部材の概略外観斜視図である。
【図１１】循環用区切板の扁平多穴管の挿入方向視における概略外観図である。
【図１２】変形例Ａに係る室外熱交換器の第２ヘッダ集合管の上端近傍部分における空気流れ方向視の概略断面構成図である。
【図１３】変形例Ｂに係る室外熱交換器の第２ヘッダ集合管の上端近傍部分における空気流れ方向視の概略断面構成図である。
【図１４】変形例Ｃに係る室外熱交換器の第２ヘッダ集合管の上端近傍部分における空気流れ方向視の概略断面構成図である。
【図１５】部分傾斜仕切部材の概略外観斜視図である。
【図１６】変形例Ｄに係る室外熱交換器の概略斜視図である。
【図１７】変形例Ｄに係る室外熱交換器の冷媒流れを説明するための構成図である。
【図１８】参考例に係る室外熱交換器の第２ヘッダ集合管の上端近傍部分における空気流れ方向視の概略断面構成図である。
【図１９】比較例に係る循環用区切板の扁平多穴管の挿入方向視における概略外観図である。
【発明を実施するための形態】
【００４０】
以下、本開示に係る熱交換器としての室外熱交換器が採用された空気調和装置の実施形態およびその変形例について、図面に基づいて説明する。
【００４１】
（１）空気調和装置の構成
図１は、本開示の一実施形態に係る熱交換器としての室外熱交換器１１が採用された空気調和装置１の概略構成図である。
【００４２】
空気調和装置１は、蒸気圧縮式の冷凍サイクルを行うことによって、建物等の室内の冷房および暖房を行うことが可能な装置である。空気調和装置１は、主として、室外ユニット２と、室内ユニット３ａ、３ｂと、室外ユニット２と室内ユニット３ａ、３ｂとを接続する液冷媒連絡管４およびガス冷媒連絡管５と、室外ユニット２および室内ユニット３ａ、３ｂの構成機器を制御する制御部２３と、を有している。そして、空気調和装置１の蒸気圧縮式の冷媒回路６は、室外ユニット２と、室内ユニット３ａ、３ｂとが冷媒連絡管４、５を介して接続されることによって構成されている。
【００４３】
室外ユニット２は、室外（建物の屋上や建物の壁面近傍等）に設置されており、冷媒回路６の一部を構成している。室外ユニット２は、主として、アキュムレータ７、圧縮機８と、四路切換弁１０と、室外熱交換器１１と、膨張機構としての室外膨張弁１２と、液側閉鎖弁１３と、ガス側閉鎖弁１４と、室外ファン１５と、を有している。各機器および弁間は、冷媒管１６〜２２によって接続されている。
【００４４】
室内ユニット３ａ、３ｂは、室内（居室や天井裏空間等）に設置されており、冷媒回路６の一部を構成している。室内ユニット３ａは、主として、室内膨張弁３１ａと、室内熱交換器３２ａと、室内ファン３３ａと、を有している。室内ユニット３ｂは、主として、膨張機構としての室内膨張弁３１ｂと、室内熱交換器３２ｂと、室内ファン３３ｂと、を有している。
【００４５】
冷媒連絡管４、５は、空気調和装置１を建物等の設置場所に設置する際に、現地にて施工される冷媒管である。液冷媒連絡管４の一端は、室外ユニット２の液側閉鎖弁１３に接続され、液冷媒連絡管４の他端は、室内ユニット３ａ、３ｂの室内膨張弁３１ａ、３１ｂの液側端に接続されている。ガス冷媒連絡管５の一端は、室外ユニット２のガス側閉鎖弁１４に接続され、ガス冷媒連絡管５の他端は、室内ユニット３ａ、３ｂの室内熱交換器３２ａ、３２ｂのガス側端に接続されている。
【００４６】
制御部２３は、室外ユニット２や室内ユニット３ａ、３ｂに設けられた制御基板等（図示せず）が通信接続されることによって構成されている。なお、図１においては、便宜上、室外ユニット２や室内ユニット３ａ、３ｂとは離れた位置に図示している。制御部２３は、空気調和装置１（ここでは、室外ユニット２や室内ユニット３ａ、３ｂ）の構成機器８、１０、１２、１５、３１ａ、３１ｂ、３３ａ、３３ｂの制御、すなわち、空気調和装置１全体の運転制御を行うようになっている。
【００４７】
（２）空気調和装置の動作
次に、図１を用いて、空気調和装置１の動作について説明する。空気調和装置１では、圧縮機８、室外熱交換器１１、室外膨張弁１２および室内膨張弁３１ａ、３１ｂ、室内熱交換器３２ａ、３２ｂの順に冷媒を流す冷房運転と、圧縮機８、室内熱交換器３２ａ、３２ｂ、室内膨張弁３１ａ、３１ｂおよび室外膨張弁１２、室外熱交換器１１の順に冷媒を流す暖房運転と、が行われる。なお、冷房運転および暖房運転は、制御部２３によって行われる。
【００４８】
冷房運転時には、四路切換弁１０が室外放熱状態（図１の実線で示される状態）に切り換えられる。冷媒回路６において、冷凍サイクルの低圧のガス冷媒は、圧縮機８に吸入され、冷凍サイクルの高圧になるまで圧縮された後に吐出される。圧縮機８から吐出された高圧のガス冷媒は、四路切換弁１０を通じて、室外熱交換器１１に送られる。室外熱交換器１１に送られた高圧のガス冷媒は、冷媒の放熱器として機能する室外熱交換器１１において、室外ファン１５によって冷却源として供給される室外空気と熱交換を行って放熱して、高圧の液冷媒になる。室外熱交換器１１において放熱した高圧の液冷媒は、室外膨張弁１２、液側閉鎖弁１３および液冷媒連絡管４を通じて、室内膨張弁３１ａ、３１ｂに送られる。室内膨張弁３１ａ、３１ｂに送られた冷媒は、室内膨張弁３１ａ、３１ｂによって冷凍サイクルの低圧まで減圧されて、低圧の気液二相状態の冷媒になる。室内膨張弁３１ａ、３１ｂで減圧された低圧の気液二相状態の冷媒は、室内熱交換器３２ａ、３２ｂに送られる。室内熱交換器３２ａ、３２ｂに送られた低圧の気液二相状態の冷媒は、室内熱交換器３２ａ、３２ｂにおいて、室内ファン３３ａ、３３ｂによって加熱源として供給される室内空気と熱交換を行って蒸発する。これにより、室内空気は冷却され、その後に、室内に供給されることで室内の冷房が行われる。室内熱交換器３２ａ、３２ｂにおいて蒸発した低圧のガス冷媒は、ガス冷媒連絡管５、ガス側閉鎖弁１４、四路切換弁１０およびアキュムレータ７を通じて、再び、圧縮機８に吸入される。
【００４９】
暖房運転時には、四路切換弁１０が室外蒸発状態（図１の破線で示される状態）に切り換えられる。冷媒回路６において、冷凍サイクルの低圧のガス冷媒は、圧縮機８に吸入され、冷凍サイクルの高圧になるまで圧縮された後に吐出される。圧縮機８から吐出された高圧のガス冷媒は、四路切換弁１０、ガス側閉鎖弁１４およびガス冷媒連絡管５を通じて、室内熱交換器３２ａ、３２ｂに送られる。室内熱交換器３２ａ、３２ｂに送られた高圧のガス冷媒は、室内熱交換器３２ａ、３２ｂにおいて、室内ファン３３ａ、３３ｂによって冷却源として供給される室内空気と熱交換を行って放熱して、高圧の液冷媒になる。これにより、室内空気は加熱され、その後に、室内に供給されることで室内の暖房が行われる。室内熱交換器３２ａ、３２ｂで放熱した高圧の液冷媒は、室内膨張弁３１ａ、３１ｂ、液冷媒連絡管４および液側閉鎖弁１３を通じて、室外膨張弁１２に送られる。室外膨張弁１２に送られた冷媒は、室外膨張弁１２によって冷凍サイクルの低圧まで減圧されて、低圧の気液二相状態の冷媒になる。室外膨張弁１２で減圧された低圧の気液二相状態の冷媒は、室外熱交換器１１に送られる。室外熱交換器１１に送られた低圧の気液二相状態の冷媒は、冷媒の蒸発器として機能する室外熱交換器１１において、室外ファン１５によって加熱源として供給される室外空気と熱交換を行って蒸発して、低圧のガス冷媒になる。室外熱交換器１１で蒸発した低圧の冷媒は、四路切換弁１０およびアキュムレータ７を通じて、再び、圧縮機８に吸入される。
【００５０】
（３）室外ユニットの構成
図２は、室外ユニット２の外観斜視図である。図３は、室外ユニット２の正面図（室外熱交換器１１以外の冷媒回路構成部品を除いて図示）である。図４は、室外熱交換器１１の概略斜視図である。図５は、図４の熱交換部６０の部分拡大図である。図６は、フィン６４の扁平多穴管６３に対する取付状態を示す概略図である。図７は、室外熱交換器１１における冷媒流れを説明するための構成図である。
【００５１】
（３−１）全体構成
室外ユニット２は、ケーシング４０の側面から空気を吸い込んでケーシング４０の天面から空気を吹き出す上吹き型の熱交換ユニットである。室外ユニット２は、主として、略直方体箱状のケーシング４０と、送風機としての室外ファン１５と、圧縮機や室外熱交換器等の機器７、８、１１、四路切換弁や室外膨張弁等の弁１０、１２〜１４および冷媒管１６〜２２等を含み冷媒回路６の一部を構成する冷媒回路構成部品と、を有している。なお、以下の説明において、「上」、「下」、「左」、「右」、「前」、「後」、「前面」、「背面」は、特にことわりのない限り、図２に示される室外ユニット２を前方（図面の左斜前側）から見た場合の方向を意味している。
【００５２】
ケーシング４０は、主として、左右方向に延びる一対の据付脚４１上に架け渡される底フレーム４２と、底フレーム４２の角部から鉛直方向に延びる支柱４３と、支柱４３の上端に取り付けられるファンモジュール４４と、前面パネル４５と、を有しており、側面（ここでは、背面および左右両側面）に空気の吸込口４０ａ、４０ｂ、４０ｃと天面に空気の吹出口４０ｄとが形成されている。
【００５３】
底フレーム４２は、ケーシング４０の底面を形成しており、底フレーム４２上には、室外熱交換器１１が設けられている。ここで、室外熱交換器１１は、ケーシング４０の背面および左右両側面に面する平面視略Ｕ字形状の熱交換器であり、ケーシング４０の背面および左右両側面を実質的に形成している。
【００５４】
室外熱交換器１１の上側には、ファンモジュール４４が設けられており、ケーシング４０の前面、背面および左右両面の支柱４３よりも上側の部分と、ケーシング４０の天面と、を形成している。ここで、ファンモジュール４４は、上面および下面が開口した略直方体形状の箱体に室外ファン１５が収容された集合体である。ファンモジュール４４の天面の開口は、吹出口４０ｄであり、吹出口４０ｄには、吹出グリル４６が設けられている。室外ファン１５は、ケーシング４０内において吹出口４０ｄに面して配置されており、空気を吸込口４０ａ、４０ｂ、４０ｃからケーシング４０内に取り込んで吹出口４０ｄから排出させる送風機である。
【００５５】
前面パネル４５は、前面側の支柱４３間に架け渡されており、ケーシング４０の前面を形成している。
【００５６】
ケーシング４０内には、室外ファン１５および室外熱交換器１１以外の冷媒回路構成部品（図２においては、アキュムレータ７、圧縮機８および冷媒管１６〜１８を図示）も収容されている。ここで、圧縮機８およびアキュムレータ７は、底フレーム４２上に設けられている。
【００５７】
このように、室外ユニット２は、側面（ここでは、背面および左右両側面）に空気の吸込口４０ａ、４０ｂ、４０ｃと天面に空気の吹出口４０ｄとが形成されたケーシング４０と、ケーシング４０内において吹出口４０ｄに面して配置された室外ファン１５と、ケーシング４０内において室外ファン１５の下側に配置された室外熱交換器１１と、を有している。そして、このような上吹き型のユニット構成では、室外ファン１５の下側に室外熱交換器１１が配置されるため、室外熱交換器１１を通過する空気の風速は、室外熱交換器１１の上部のほうが室外熱交換器１１の下部に比べて速くなる傾向がある（図３参照）。
【００５８】
（３−２）室外熱交換器
室外熱交換器１１は、冷媒と室外空気との熱交換を行う熱交換器であり、主として、第１ヘッダ集合管８０と、第２ヘッダ集合管９０と、複数の扁平多穴管６３と、複数のフィン６４と、を有している。ここでは、第１ヘッダ集合管８０、第２ヘッダ集合管９０、扁平多穴管６３およびフィン６４のすべてが、アルミニウムまたはアルミニウム合金で形成されており、互いにロウ付け等によって接合されている。
【００５９】
第１ヘッダ集合管８０および第２ヘッダ集合管９０はいずれも、縦長中空の円筒形状の部材である。第１ヘッダ集合管８０は、室外熱交換器１１の一端側（ここでは、図４の左前端側）に立設されており、第２ヘッダ集合管９０は、室外熱交換器１１の他端側（ここでは、図４の右前端側）に立設されている。
【００６０】
扁平多穴管６３は、伝熱面となる鉛直方向を向く扁平面６３ａと、冷媒が流れる多数の小さな通路６３ｂを有する扁平多穴管である。扁平多穴管６３は、上下に並んで複数配列されており、両端が第１ヘッダ集合管８０および第２ヘッダ集合管９０に接続されている。なお、本実施形態においては、複数の扁平多穴管６３は、上下方向において一定の間隔をあけて所定ピッチで配置されている。フィン６４は、隣り合う扁平多穴管６３の間を空気が流れる複数の通風路に区画しており、複数の扁平多穴管６３を差し込めるように、水平に細長く延びる複数の切り欠き６４ａが形成されている。フィン６４の切り欠き６４ａの形状は、扁平多穴管６３の断面の外形にほぼ一致している。
【００６１】
室外熱交換器１１は、上下に複数並んだ扁平多穴管６３に対してフィン６４が固定されて構成された熱交換部６０を有している。熱交換部６０は、上段側の上段熱交換部６０Ａと、下段側の下段熱交換部６０Ｂと、を有している。
【００６２】
第１ヘッダ集合管８０は、その内部空間が水平方向に広がった仕切板８１によって上下に仕切られることで、上段熱交換部６０Ａと下段熱交換部６０Ｂに対応するように、ガス側出入口連通空間８０Ａと液側出入口連通空間８０Ｂが形成されている。そして、ガス側出入口連通空間８０Ａには、対応する上段熱交換部６０Ａを構成する扁平多穴管６３が連通している。また、液側出入口連通空間８０Ｂには、対応する下段熱交換部６０Ｂを構成する扁平多穴管６３が連通している。
【００６３】
また、第１ヘッダ集合管８０のガス側出入口連通空間８０Ａには、冷房運転時に圧縮機８から送られる冷媒をガス側出入口連通空間８０Ａに送る冷媒管１９（図１参照）が接続されている。
【００６４】
また、第１ヘッダ集合管８０の液側出入口連通空間８０Ｂには、暖房運転時に室外膨張弁１２を通過した冷媒を液側出入口連通空間８０Ｂに送る冷媒管２０（図１参照）が接続されている。
【００６５】
第２ヘッダ集合管９０は、その内部空間が、それぞれ水平方向に広がっており上下方向に並んだ仕切板９１、９２、９３、９４によって、上下に並んだ複数の空間に仕切られている。第２ヘッダ集合管９０の内部空間のうち、仕切板９２と仕切板９３とで上下に囲まれた空間は、ノズル付き区切板９９によってさらに上下に区切られている。これにより、第２ヘッダ集合管９０の内部空間は、上側から順に、第１上段折り返し連通空間９０Ａ、第２上段折り返し連通空間９０Ｂ、第３上段折り返し連通空間９０Ｃ、第１下段折り返し連通空間９０Ｄ、第２下段折り返し連通空間９０Ｅ、第３下段折り返し連通空間９０Ｆ、が並んで形成されている。第１上段折り返し連通空間９０Ａ、第２上段折り返し連通空間９０Ｂ、第３上段折り返し連通空間９０Ｃには、対応する上段熱交換部６０Ａにおける扁平多穴管６３が連通している。第１下段折り返し連通空間９０Ｄ、第２下段折り返し連通空間９０Ｅ、第３下段折り返し連通空間９０Ｆには、対応する下段熱交換部６０Ｂにおける扁平多穴管６３が連通している。第３上段折り返し連通空間９０Ｃと第１下段折り返し連通空間９０Ｄとは、ノズル付き区切板９９によって上下に区切られているが、ノズル付き区切板９９において上下に貫通するように設けられたノズル９９ａを介して上下に連通している。また、第１上段折り返し連通空間９０Ａと第３下段折り返し連通空間９０Ｆとは、第２ヘッダ集合管９０とは別体の配管である第１接続配管２４を介して接続されている。第２上段折り返し連通空間９０Ｂと第２下段折り返し連通空間９０Ｅとは、第２ヘッダ集合管９０とは別体の配管である第２接続配管２５を介して接続されている。なお、第１接続配管２４も第２接続配管２５も、いずれも円筒形状の配管であり、簡易な構造で耐圧強度に優れたものとなっている。また、第１接続配管２４や第２接続配管２５のうち第２ヘッダ集合管９０との接続箇所は、第２ヘッダ集合管９０のうちの扁平多穴管６３が接続されている側とは反対側であって、軸方向が水平方向となっている。
【００６６】
以上の構成により、室外熱交換器１１が冷媒の蒸発器として機能する場合には、冷媒管２０から第１ヘッダ集合管８０の液側出入口連通空間８０Ｂに流入した冷媒は、液側出入口連通空間８０Ｂに接続されている下段熱交換部６０Ｂの扁平多穴管６３を流れて、第２ヘッダ集合管９０の第１下段折り返し連通空間９０Ｄ、第２下段折り返し連通空間９０Ｅ、第３下段折り返し連通空間９０Ｆに流入する。第１下段折り返し連通空間９０Ｄに流入した冷媒は、ノズル付き区切板９９のノズル９９ａを介して第３上段折り返し連通空間９０Ｃに流入し、第３上段折り返し連通空間９０Ｃに接続されている上段熱交換部６０Ａの扁平多穴管６３を介して、第１ヘッダ集合管８０のガス側出入口連通空間８０Ａに流入する。第２下段折り返し連通空間９０Ｅに流入した冷媒は、第２接続配管２５を介して第２上段折り返し連通空間９０Ｂに流入し、第２上段折り返し連通空間９０Ｂに接続されている上段熱交換部６０Ａの扁平多穴管６３を介して、第１ヘッダ集合管８０のガス側出入口連通空間８０Ａに流入する。第３下段折り返し連通空間９０Ｆに流入した冷媒は、第１接続配管２４を介して第１上段折り返し連通空間９０Ａに流入し、第１上段折り返し連通空間９０Ａに接続されている上段熱交換部６０Ａの扁平多穴管６３を介して、第１ヘッダ集合管８０のガス側出入口連通空間８０Ａに流入する。第１ヘッダ集合管８０のガス側出入口連通空間８０Ａにおいて合流した冷媒は、冷媒管１９を介して室外熱交換器１１の外部に流れていくことになる。なお、室外熱交換器１１が冷媒の放熱器として用いられる場合には、上記とは反対の冷媒流れとなる。
【００６７】
（４）第１上段折り返し連通空間９０Ａ等の内部構造
図８に、室外熱交換器１１の第２ヘッダ集合管９０の第１上段折り返し連通空間９０Ａにおける空気流れ方向視の概略断面構成図を示す。図９に、室外熱交換器１１の第２ヘッダ集合管９０の第１上段折り返し連通空間９０Ａにおける上面視の概略断面構成図を示す。図１０に、ノズル付き部分傾斜区切部材７０の概略外観斜視図を示す。図１１に、循環用区切板９５の扁平多穴管６３の挿入方向視における概略外観図を示す。
【００６８】
第１上段折り返し連通空間９０Ａには、ノズル７１ａが設けられたノズル付き部分傾斜区切部材７０と、上下および空気通過方向に広がった循環用区切板９５の一部と、が設けられている。なお、第１上段折り返し連通空間９０Ａの底は、仕切板９１によって覆われている。この仕切板９１は、他の仕切板９２、９３、９４と同様に、均一な板厚で水平方向に略円形に広がった板状部材であり、傾斜部分等の無い簡易な構造の部材である。
【００６９】
図１１に示すように、循環用区切板９５のうち、第１上段折り返し連通空間９０Ａ内に位置する部分から第２上段折り返し連通空間９０Ｂ内に位置する部分にかけては、上から順に、下連通口９５ｂ、上方挿入開口部分９５ｓ、連絡口９５ｃ、下方挿入開口部分９５ｔ、上連通口９５ａが互いに連なるようにして並んだ１つの開口である共用開口９５Ｕが形成されている。そして、循環用区切板９５には、下方挿入開口部分９５ｔの空気流れ方向の前後の端部よりも、連絡口９５ｃの空気流れ方向の前後の端部の方が内側に位置するように、内側に突出した上方支持突起９５ｄが形成されている。さらに、循環用区切板９５には、下方挿入開口部分９５ｔの下方において、下方挿入開口部分９５ｔの空気流れ方向の前後の端部よりも内側に突出した下方支持突起９５ｈが形成されている。
【００７０】
当該構造により、仕切板９１は、仕切板９１の上面が上方支持突起９５ｄの下端により支持され、仕切板９１の下面が下方支持突起９５ｈの上端により支持されることで、循環用区切板９５の共用開口９５Ｕの一部を構成する下方挿入開口部分９５ｔに挿入された状態で支持される。ここで、第２上段折り返し連通空間９０Ｂ用の上連通口９５ａと、第１上段折り返し連通空間９０Ａ用の連絡口９５ｃとは、仕切板９１を挿入固定するための下方挿入開口部分９５ｔを介して連続している。仕切板９１を挿入固定するための下方挿入開口部分９５ｔは、空気流れ方向の上流側から下流側にかけて、第２ヘッダ集合管９０の第１ヘッダ構成部材９０ａと第２ヘッダ構成部材９０ｂに到るまで広がっている。他方で、第１上段折り返し連通空間９０Ａ用の連絡口９５ｃと、第１上段折り返し連通空間９０Ａ用の下連通口９５ｂと、は、いずれも、第２ヘッダ集合管９０の第１ヘッダ構成部材９０ａと第２ヘッダ構成部材９０ｂにまで到らないように、その手前まで広がっている。
【００７１】
なお、循環用区切板９５の共用開口９５Ｕの一部を構成する上連通口９５ａは、空気流れ方向における前後の各下方支持突起９５ｈの間の部分だけでなく、当該部分からさらに下方にも広がっている。上連通口９５ａは、下方支持突起９５ｈの下方において、空気流れ方向における各下方支持突起９５ｈ同士の前後の端部よりもさらに前側および後ろ側にまで広がった部分を有している。上連通口９５ａの下方部分は、後述するノズル付き部分傾斜区切部材７０のノズル形成部７１に設けられた２つのノズル７１ａ同士の互いに最も遠い部分同士の空気流れ方向における間隔よりも広い幅を有している。具体的には、第２上段折り返し連通空間９０Ｂ用の上連通口９５ａの下方部分は、第２ヘッダ集合管９０の第１ヘッダ構成部材９０ａと第２ヘッダ構成部材９０ｂに到るまで広がっている。なお、第２上段折り返し連通空間９０Ｂ用の上連通口９５ａの上縁部は、仕切板９１の下面によって形成されていることになる。
【００７２】
なお、第２ヘッダ集合管９０は、図９に示すように、上面視において扁平多穴管６３側に凸の略円弧形状であり上下方向に延びた第１ヘッダ構成部材９０ａと、上面視において扁平多穴管６３側とは反対側に凸の略円弧形状であり上下方向に延びた第２ヘッダ構成部材９０ｂと、が上下方向に延びた循環用区切板９５を、扁平多穴管６３が挿入されている方向（循環用区切板９５の板厚方向）から挟持することにより構成されている。ここで、循環用区切板９５には、風上側の端部において板厚方向に広がった風上側端部９５ｘと、風下側の端部において板厚方向に広がった風下側端部９５ｙと、が設けられており、これらが第１ヘッダ構成部材９０ａと第２ヘッダ構成部材９０ｂとを空気流れ方向の前後から挟み込んだ状態で、互いにロウ付け固定される構造となっている。
【００７３】
ノズル付き部分傾斜区切部材７０は、第１上段折り返し連通空間９０Ａを、上方に位置している循環用空間９８と、下方に位置している導入空間９７と、に上下に区切っている。ノズル付き部分傾斜区切部材７０は、図９に示すように、ノズル形成部７１と、傾斜部７２と、被挟持端部７３と、を有して構成された一部材である。このように、ノズル付き部分傾斜区切部材７０を一部材によって構成することで、部品点数を削減することが可能になっている。なお、導入空間９７は、第１上段折り返し連通空間９０Ａ内に設けられたノズル付き部分傾斜区切部材７０と、仕切板９１とによって上下に囲まれている。この導入空間９７には、扁平多穴管６３側とは反対側において第１接続配管２４の端部が接続されている。なお、本実施形態においては、導入空間９７には、扁平多穴管６３が接続されていない。
【００７４】
ノズル形成部７１は、水平方向に広がった板状の平面部を有しており、風上側と風下側において板厚方向（上下方向）に貫通したノズル７１ａが形成されている。ノズル形成部７１の一部は、上面視において半円弧形状の輪郭を有しており、第１ヘッダ構成部材９０ａの略半円弧形状である内周面に対して接した状態でロウ付け固定される。なお、ノズル形成部７１の扁平多穴管６３側とは反対側の部分は、循環用区切板９５の共用開口９５Ｕの一部を構成する上方挿入開口部分９５ｓに挿入された状態で固定される。具体的には、循環用区切板９５には、上方挿入開口部分９５ｓの空気流れ方向の前後の端部よりも、下連通口９５ｂの空気流れ方向の前後の端部の方が内側に位置するように、内側に突出した上端支持部９５ｇが形成されている。このため、ノズル形成部７１の扁平多穴管６３側とは反対側の部分は、ノズル形成部７１の上面が上端支持部９５ｇの下端により支持され、ノズル形成部７１の下面が上方支持突起９５ｄの上端により支持されることで、循環用区切板９５の共用開口９５Ｕの一部を構成する上方挿入開口部分９５ｓに挿入された状態で支持される。ここで、第１上段折り返し連通空間９０Ａ用の連絡口９５ｃと、第１上段折り返し連通空間９０Ａ用の下連通口９５ｂとは、ノズル付き部分傾斜区切部材７０のノズル形成部７１を挿入固定するための上方挿入開口部分９５ｓを介して連続している。このノズル付き部分傾斜区切部材７０のノズル形成部７１を挿入固定するための上方挿入開口部分９５ｓは、空気流れ方向の上流側から下流側にかけて、第２ヘッダ集合管９０の第１ヘッダ構成部材９０ａと第２ヘッダ構成部材９０ｂに到るまで広がっている。以上により、第１上段折り返し連通空間９０Ａ用の下連通口９５ｂの下縁部は、ノズル付き部分傾斜区切部材７０のノズル形成部７１の上面（ノズル７１ａよりも扁平多穴管６３側とは反対側の部分の上面）によって形成されていることになる。このノズル形成部７１は、上面視において、主として上昇用空間９８Ａと重なるように位置している。なお、第１上段折り返し連通空間９０Ａ用の連絡口９５ｃは、ノズル付き部分傾斜区切部材７０のノズル形成部７１の下面（ノズル７１ａよりも扁平多穴管６３側とは反対側の部分の下面）と仕切板９１の上面と各上方支持突起９５ｄによって形成されていることになる。
【００７５】
なお、ノズル形成部７１に形成された風上側のノズル７１ａの全体は、循環用区切板９５に形成された下連通口９５ｂの風上側端部よりもさらに風上側に位置している。同様に、ノズル形成部７１に形成された風下側のノズル７１ａの全体は、循環用区切板９５に形成された下連通口９５ｂの風下側端部よりもさらに風下側に位置している。すなわち、循環用区切板９５に形成された下連通口９５ｂを扁平多穴管６３が接続されている側に向けて延長させて得られる仮想空間は、上面視において、ノズル形成部７１に形成された風上側と風下側のいずれのノズル７１ａとも重複しない配置となっている。
【００７６】
さらに、ノズル形成部７１に形成されたノズル７１ａは、循環用区切板９５との最近接距離が１ｍｍ以上となる位置であって、第２ヘッダ集合管９０の第１ヘッダ構成部材９０ａの内周面との最近接距離も１ｍｍ以上となる位置に配置されている。
【００７７】
傾斜部７２は、ノズル付き部分傾斜区切部材７０におけるノズル形成部７１の扁平多穴管６３側とは反対側の部分から連なるように伸び出した板状部分であり、扁平多穴管６３側とは反対側に向かうにつれて上方に位置するように傾斜した傾斜面を構成している。傾斜部７２も、半円弧形状の輪郭部を有しており、第２ヘッダ構成部材９０ｂの略半円弧形状である内周面に対して接した状態でロウ付け固定される。この傾斜部７２は、上面視において、主として下降用空間９８Ｂと重なるように位置している。
【００７８】
被挟持端部７３は、傾斜部７２の扁平多穴管６３側とは反対側の部分から連なるように伸び出しており、水平方向に広がった板状の平面部を有している。被挟持端部７３は、第２ヘッダ構成部材９０ｂに設けられた開口内に位置し、当該開口によって上下前後から囲まれた状態でロウ付け固定される。
【００７９】
なお、第２上段折り返し連通空間９０Ｂ内の底を構成する仕切板９２の上方においても、上記と同様の構成のノズル付き部分傾斜区切部材７０が設けられている。
【００８０】
これらのノズル付き部分傾斜区切部材７０は、仕切板９１、９２と共に、先に循環用区切板９５に設けられた挿入用の開口に挿入された状態で、第１ヘッダ構成部材９０ａと第２ヘッダ構成部材９０ｂによって挟み込まれることで製造される。
【００８１】
循環用区切板９５は、第１上段折り返し連通空間９０Ａ内のうちノズル付き部分傾斜区切部材７０よりも上方の空間において、上下および空気通過方向に広がる部分を有している。この循環用区切板９５は、循環用空間９８内を、扁平多穴管６３が接続されており蒸発器使用時に冷媒を上昇させる上昇用空間９８Ａと、蒸発器使用時に冷媒を下降させる下降用空間９８Ｂと、に区切っている。なお、循環用区切板９５は、第２上段折り返し連通空間９０Ｂ、第３上段折り返し連通空間９０Ｃ内についても同様に、上昇用空間９８Ａと下降用空間９８Ｂとに区切っている。すなわち、循環用区切板９５は、これらの第１上段折り返し連通空間９０Ａ、第２上段折り返し連通空間９０Ｂ、第３上段折り返し連通空間９０Ｃが上下方向に連続した１つの板状部材によって構成されている。
【００８２】
なお、ノズル付き部分傾斜区切部材７０のノズル形成部７１に設けられたノズル７１ａは、上昇用空間９８Ａに繋がる位置、すなわち、上面視において上昇用空間９８Ａと重複する位置に設けられている。
【００８３】
この循環用区切板９５には、第１上段折り返し連通空間９０Ａ内の循環用空間９８においては、循環用空間９８の上方においては、板厚方向に貫通した上連通口９５ａと、循環用空間９８の下方において板厚方向に貫通した下連通口９５ｂが設けられている。第１上段折り返し連通空間９０Ａ内のノズル付き部分傾斜区切部材７０よりも下方の導入空間９７においては、循環用区切板９５には、板厚方向に貫通した連絡口９５ｃが設けられている。なお、ノズル付き部分傾斜区切部材７０の下面は、連絡口９５ｃの輪郭の上方部分の一部を構成している。ここで、第２ヘッダ集合管９０に接続されている扁平多穴管６３の端部は、いずれも上昇用空間９８Ａ内に位置しており、循環用区切板９５には達していない。
【００８４】
なお、第２上段折り返し連通空間９０Ｂ内においても同様に、上連通口９５ａと下連通口９５ｂと連絡口９５ｃが設けられており、第３上段折り返し連通空間９０Ｃ内においては、上連通口９５ａと下連通口９５ｂが設けられている。
【００８５】
以上の構成により、第１上段折り返し連通空間９０Ａ内に設けられたノズル付き部分傾斜区切部材７０と仕切板９１とによって上下に囲まれた導入空間９７は、仕切板９１が水平に広がっているのに対してノズル付き部分傾斜区切部材７０には傾斜した傾斜部７２が設けられているため、扁平多穴管６３が接続されている側に向かうにつれて上下方向の間隔が狭まる構造となっている。なお、ノズル付き部分傾斜区切部材７０に傾斜部７２が設けられていることで、導入空間９７の上下方向の幅は、第１接続配管２４側からノズル７１ａの下方の部分にかけて、急激に狭まるのではなく、なだらかに狭まる構造となっている。したがって、第１接続配管２４から導入空間９７に流入した冷媒が、導入空間９７におけるノズル７１ａの下方に向けて移動する際に、急激な圧力損失を受けることを抑制することが可能になっている。
【００８６】
ここで、本実施形態では、第１接続配管２４の外径は、複数の扁平多穴管６３の上下方向の間隔よりも大きく、導入空間９７におけるノズル付き部分傾斜区切部材７０のうちのノズル形成部７１と仕切板９１との間の上下方向の間隔よりも大きい。また、複数の扁平多穴管６３のうちノズル７１ａの直近の（ノズル７１ａから最寄りの）扁平多穴管６３の下端は、第１接続配管２４の第１上段折り返し連通空間９０Ａに接続されている側の端部の上端よりも下方に位置している。この第１接続配管２４の大きさや配置関係は、第２上段折り返し連通空間９０Ｂの導入空間９７に接続された第２接続配管２５についても同様である。
【００８７】
そして、第１上段折り返し連通空間９０Ａ内に設けられたノズル付き部分傾斜区切部材７０のノズル形成部７１と仕切板９１とは、いずれも、互いに上下に隣り合う扁平多穴管６３同士の間に位置している。
【００８８】
（５）第１上段折り返し連通空間９０Ａにおける冷媒の流れ
以上の構造において、室外熱交換器１１が冷媒の蒸発器として用いられる場合の第１上段折り返し連通空間９０Ａ内における冷媒の流れを以下に説明する。
【００８９】
第１接続配管２４を介して、ノズル付き部分傾斜区切部材７０よりも下方の導入空間９７に流入した冷媒は、一部が、上昇用空間９８Ａの下方まで移動した後にノズル付き部分傾斜区切部材７０のノズル形成部７１のノズル７１ａを介して上昇用空間９８Ａ内に吹き上げられる。ここで、導入空間９７には扁平多穴管６３が接続されていないため、導入空間９７から直接扁平多穴管６３へと冷媒が流れることはない。
【００９０】
上昇用空間９８Ａ内に送り込まれた冷媒は、上昇用空間９８Ａ内を上昇しながら、高さ位置毎に接続されている扁平多穴管６３に対して分流されていく。なお、上昇用空間９８Ａの上端近傍に冷媒が到達した場合には、循環用区切板９５の上連通口９５ａを介して下降用空間９８Ｂに送られて、下降用空間９８Ｂを下降する。
【００９１】
下降用空間９８Ｂを下降した冷媒は、下降用空間９８Ｂの下端近傍において、ノズル付き部分傾斜区切部材７０の傾斜部７２の上面を沿うようにして、扁平多穴管６３側に向かいながら下降する。そして、下降用空間９８Ｂを下降した冷媒は、循環用区切板９５の下連通口９５ｂを介して再び上昇用空間９８Ａに導かれる。このようにして、循環用空間９８内において冷媒が循環する。
【００９２】
なお、第２上段折り返し連通空間９０Ｂ内の構造および冷媒流れは、上記第１上段折り返し連通空間９０Ａ内の構造および冷媒流れと同様であるため、説明を省略する。
【００９３】
また、第３上段折り返し連通空間９０Ｃ内の構造および冷媒流れは、上記第１上段折り返し連通空間９０Ａにおけるノズル付き部分傾斜区切部材７０が、第３上段折り返し連通空間９０Ｃの下端を構成するノズル付き区切板９９に対応する点において相違するが、他の構造および冷媒流れは同様であるため、説明を省略する。
【００９４】
（６）特徴
（６−１）
本実施形態の室外熱交換器１１は、第２ヘッダ集合管９０の循環用区切板９５に形成された開口である連絡口９５ｃと、ノズル付き部分傾斜区切部材７０の一部を挿入するための上方挿入開口部分９５ｓとが、互いに独立した個々の開口とすることなく、１つの開口である共用開口９５Ｕに含まれるように構成されている。
【００９５】
このため、連絡口９５ｃとノズル付き部分傾斜区切部材７０の一部を挿入するための上方挿入開口部分９５ｓとを互いに独立した個々の開口とする場合（例えば、図１９に示す比較例の循環用区切板９９５ように、連絡口９５ｃと、上方挿入開口部分９５ｓと、が分離された独立の開口として第２ヘッダ集合管９０の長手方向に並んで配置される場合）に比べて、連絡口９５ｃの下端かノズル付き部分傾斜区切部材７０の一部を挿入するための上方挿入開口部分９５ｓの上端までの距離を短くすることができるため、第２ヘッダ集合管９０の長手方向において扁平多穴管６３をより密に配置させることが可能となっている。また、同じ構成部品によって室外熱交換器１１を構成させる場合における第２ヘッダ集合管９０の長手方向の長さをコンパクト化させることが可能になっている。
【００９６】
これにより、室外熱交換器１１における扁平多穴管６３を高集積化させることによる空気調和装置１の空調性能の向上、または、空気調和装置１のコンパクト化が可能になっている。
【００９７】
（６−２）
本実施形態の室外熱交換器１１は、第２ヘッダ集合管９０の循環用区切板９５に形成された共用開口９５Ｕの内周縁が、上端支持部９５ｇと上方支持突起９５ｄを有して構成されている。このため、共用開口９５Ｕの内周縁を利用して、ノズル付き部分傾斜区切部材７０の第２ヘッダ集合管９０の長手方向における位置を定めることが可能になっている。
【００９８】
また、本実施形態の室外熱交換器１１は、第２ヘッダ集合管９０の循環用区切板９５に形成された共用開口９５Ｕの内周縁が、上方支持突起９５ｄと下方支持突起９５ｈを有して構成されている。このため、共用開口９５Ｕの内周縁を利用して、仕切板９１の第２ヘッダ集合管９０の長手方向における位置を定めることが可能になっている。
【００９９】
（６−３）
本実施形態の室外熱交換器１１は、第２ヘッダ集合管９０の循環用区切板９５に形成された開口である連絡口９５ｃと、ノズル付き部分傾斜区切部材７０の一部を挿入するための上方挿入開口部分９５ｓと、仕切板９１を挿入するための下方挿入開口部分９５ｔとが、互いに独立した個々の開口とすることなく、１つの開口である共用開口９５Ｕに含まれるように構成されている。したがって、例えば、図１９に示すように、連絡口９５ｃと上方挿入開口部分９５ｓと下方挿入開口部分９５ｔとが互いに分離されて独立した個々の開口として第２ヘッダ集合管９０の長手方向に並んで配置される場合と比べて、第２ヘッダ集合管９０の長手方向において扁平多穴管６３をより密に配置させ、扁平多穴管６３を高集積化させることによる空気調和装置１の空調性能のさらなる向上、または、同じ構成部品によって室外熱交換器１１を構成させる場合における第２ヘッダ集合管９０の長手方向の長さのさらなるコンパクト化、ひいては空気調和装置１のさらなるコンパクト化が可能になっている。
【０１００】
（６−４）
本実施形態の室外熱交換器１１は、導入空間９７には扁平多穴管６３が接続されていない。このため、導入空間９７に扁平多穴管６３が接続された場合における当該扁平多穴管６３に集中的に冷媒が流れてしまうことによる扁平多穴管６３同士の間の冷媒偏流を抑制させることができている。
【０１０１】
（６−５）
本実施形態の室外熱交換器１１の第２ヘッダ集合管９０は、その内部空間が扁平多穴管６３が接続された上昇用空間９８Ａと下降用空間９８Ｂに区切られているため、冷媒を上昇させる際に冷媒が通過する流路を狭めることができている。そして、このように狭められた流路を構成する空間に対して、ノズル付き部分傾斜区切部材７０のノズル形成部７１に形成されたノズル７１ａを通過した冷媒が供給される。このため、導入空間９７に供給された冷媒を、ノズル形成部７１の上方の空間において、より上方にまで到達させることが可能になる。特に、室外熱交換器１１における冷媒の循環量が少なめの運転状態である場合であっても、ノズル形成部７１から上方に遠く離れた扁平多穴管６３にまで冷媒を十分に到達させ、第２ヘッダ集合管９０の第１上段折り返し連通空間９０Ａの上方に接続されている扁平多穴管６３に対しても十分に冷媒を供給することが可能になる（第２上段折り返し連通空間９０Ｂについても同様である）。
【０１０２】
（６−６）
本実施形態の室外熱交換器１１は、導入空間９７には、第２ヘッダ集合管９０のうち扁平多穴管６３が接続されている側とは反対側に第２冷媒配管２４、第３冷媒配管２５が接続されている。この場合であっても、ノズル付き部分傾斜区切部材７０のうち扁平多穴管６３が接続されている側の部分であるノズル形成部７１にノズル７１ａが形成されているため、導入空間９７のうち扁平多穴管６３の接続側から遠い部分に冷媒が供給される構造であっても、扁平多穴管６３が接続された側の空間である上昇用空間９８Ａにおいてノズル７１ａを介した冷媒の上昇を実現することが可能になっている。
【０１０３】
（６−７）
本実施形態の室外熱交換器１１の第２ヘッダ集合管９０は、上昇用空間９８Ａと下降用空間９８Ｂとが、その上方部分において上連通口９５ａを介して連通しており、下方部分が下連通口９５ｂを介して連通している。このため、室外熱交換器１１における冷媒の循環量が多くなり、上昇用空間９８Ａを勢いよく上昇することで上昇用空間９８Ａの上方に冷媒が集まりがちになる状態であっても、上連通口９５ａと下降用空間９８Ｂと下連通口９５ｂを介して循環させて、再び、上昇用空間９８Ａに戻すことが可能になっている。
【０１０４】
このため、冷媒の循環量が変化した場合であっても、各高さに接続されている扁平多穴管６３それぞれに対する冷媒の分配を均等化させ、複数の扁平多穴管６３の間における冷媒の偏流を小さく抑えることが可能になっている。
【０１０５】
さらに、本実施形態の室外熱交換器１１は、第２ヘッダ集合管９０の循環用区切板９５に形成された開口である連絡口９５ｃと、ノズル付き部分傾斜区切部材７０の一部を挿入するための上方挿入開口部分９５ｓと、仕切板９１を挿入するための下方挿入開口部分９５ｔと、冷媒を循環させるための下連通口９５ｂとが、互いに独立した個々の開口とすることなく、１つの開口である共用開口９５Ｕに含まれるように構成されている。したがって、例えば、図１９に示すように、連絡口９５ｃと上方挿入開口部分９５ｓと下方挿入開口部分９５ｔと下連通口９５ｂとが互いに分離されて独立した個々の開口として第２ヘッダ集合管９０の長手方向に並んで配置される場合と比べて、第２ヘッダ集合管９０の長手方向において扁平多穴管６３をより密に配置させ、扁平多穴管６３を高集積化させることによる空気調和装置１の空調性能のさらなる向上、または、同じ構成部品によって室外熱交換器１１を構成させる場合における第２ヘッダ集合管９０の長手方向の長さのさらなるコンパクト化、ひいては空気調和装置１のさらなるコンパクト化が可能になっている。
【０１０６】
（６−８）
本実施形態の室外熱交換器１１は、第２ヘッダ集合管９０の循環用区切板９５に形成された第１上段折り返し連通空間９０Ａ用の開口である連絡口９５ｃと、ノズル付き部分傾斜区切部材７０の一部を挿入するための上方挿入開口部分９５ｓと、仕切板９１を挿入するための下方挿入開口部分９５ｔと、第２上段折り返し連通空間９０Ｂ用の開口である上連通口９５ａとが、互いに独立した個々の開口とすることなく、１つの開口である共用開口９５Ｕに含まれるように構成されている。したがって、互いに分離された冷媒が流れる第１上段折り返し連通空間９０Ａと第２上段折り返し連通空間９０Ｂとの間の関係においても、第２ヘッダ集合管９０の長手方向において扁平多穴管６３をより密に配置させ、扁平多穴管６３を高集積化させることによる空気調和装置１の空調性能のさらなる向上、または、同じ構成部品によって室外熱交換器１１を構成させる場合における第２ヘッダ集合管９０の長手方向の長さのさらなるコンパクト化、ひいては空気調和装置１のさらなるコンパクト化が可能になっている。
【０１０７】
（６−９）
本実施形態の室外熱交換器１１は、第２ヘッダ集合管９０の循環用区切板９５に形成された第１上段折り返し連通空間９０Ａ用の開口である連絡口９５ｃと、ノズル付き部分傾斜区切部材７０の一部を挿入するための上方挿入開口部分９５ｓと、仕切板９１を挿入するための下方挿入開口部分９５ｔと、下連通口９５ｂと、第２上段折り返し連通空間９０Ｂ用の開口である上連通口９５ａとが、互いに独立した個々の開口とすることなく、１つの開口である共用開口９５Ｕに含まれるように構成されている。したがって、互いに分離された冷媒が流れる第１上段折り返し連通空間９０Ａと第２上段折り返し連通空間９０Ｂとの間の関係においても、第２ヘッダ集合管９０の長手方向において扁平多穴管６３をより密に配置させ、扁平多穴管６３を高集積化させることによる空気調和装置１の空調性能のさらなる向上、または、同じ構成部品によって室外熱交換器１１を構成させる場合における第２ヘッダ集合管９０の長手方向の長さのさらなるコンパクト化、ひいては空気調和装置１のさらなるコンパクト化が可能になっている。
【０１０８】
（６−１０）
本実施形態の室外熱交換器１１は、第２ヘッダ集合管９０の循環用区切板９５に形成された共用開口９５Ｕにおける上連通口９５ａは、下連通口９５ｂよりも開口面積が大きくなるように構成されている。このため、ノズル７１ａから吐出された冷媒が上昇用空間９８Ａの上方部分に多く送られる状況になることがあっても、広く構成された上連通口９５ａを冷媒が通過しやすく、下降用空間９８Ｂに冷媒を導きやすい。このため、上昇用空間９８Ａの上方部分に冷媒が集中し過ぎてしまうことを抑制することが可能となる。
【０１０９】
（６−１１）
本実施形態の室外熱交換器１１は、下連通口９５ｂを扁平多穴管６３が接続されている側に向けて延長させて得られる仮想空間が、上面視において、ノズル形成部７１に形成された風上側と風下側のいずれのノズル７１ａとも重複しないように配置されている。このため、ノズル形成部７１に形成されたノズル７１ａを介して導入空間９７から上方の上昇用空間９８Ａに向けて吹き上げられる冷媒流れが、下連通口９５ｂを介して下降用空間９８Ｂから上昇用空間９８Ａに戻される冷媒によって阻害されにくいようにすることが可能になっている。
【０１１０】
（６−１２）
本実施形態の室外熱交換器１１は、ノズル形成部７１に形成されたノズル７１ａは、循環用区切板９５との最近接距離が１ｍｍ以上となる位置であって、第２ヘッダ集合管９０の第１ヘッダ構成部材９０ａの内周面との最近接距離も１ｍｍ以上となる位置に配置されている。このため、ノズル付き部分傾斜区切部材７０が、ロウ材で被覆された第１ヘッダ構成部材９０ａや循環用区切板９５に対してロウ付けされた場合であっても、ノズル形成部７１のノズル７１ａがロウ材により閉塞されることを抑制することができる。
【０１１１】
特に、本実施形態の室外熱交換器１１では、ノズル形成部７１に形成された風上側と風下側の各ノズル７１ａを下連通口９５ｂと空気流れ方向の位置が重複しないように配置することで、上昇流れを形成させやすくしている場合であっても、ノズル形成部７１のノズル７１ａがロウ材により閉塞されることを抑制することが可能になっている。
【０１１２】
（６−１３）
本実施形態の室外熱交換器１１は、第２ヘッダ集合管９０の長手方向が鉛直方向となる姿勢で用いられている。この第２ヘッダ集合管９０では、ノズル７１ａを介して重力に逆らう方向に冷媒を吹き上げながら各扁平多穴管６３に対して分流させる場合においても、鉛直方向における扁平多穴管６３の高集積化またはコンパクト化が可能になっている。
【０１１３】
（６−１４）
本実施形態では、第２ヘッダ集合管９０の第１上段折り返し連通空間９０Ａに対して、第１接続配管２４を介して冷媒が供給される構造が採用されている。ここで、分流させる前の冷媒を流すための（凝縮器として機能する場合には、合流後の冷媒を流すための）第１接続配管２４は、その外径が大きくなりがちである。
【０１１４】
このため、本実施形態では、第１接続配管２４の外径は、導入空間９７におけるノズル付き部分傾斜区切部材７０のうちのノズル形成部７１と仕切板９１との間の上下方向の間隔よりも大きくなっており、扁平多穴管６３の上下方向の間隔よりも大きい。また、第１接続配管２４の上端は、ノズル７１ａの直上の扁平多穴管６３の下端はよりも上方に位置している。
【０１１５】
このような場合において、図１８に示すように、仮に、導入空間９７の上面と下面を構成する仕切板９１とノズル付き区切板９７１とがいずれも水平に広がった部材で構成されている場合には、上述した共用開口９５Ｕを採用することによる効果は得られるものの、導入空間９７の扁平多穴管６３側の上下方向の幅も大きくなりがちである。このため、扁平多穴管６３を上下方向に所定の間隔で配置する場合には、当該導入空間９７に扁平多穴管６３が接続される構成になってしまう。この場合には、ノズル付き区切板９７１の下方の導入空間９７に接続されている扁平多穴管６３（図１８において点線で囲む扁平多穴管６３）には、ノズル付き区切板９７１の上方の循環用空間９８に接続されている扁平多穴管６３と比べて、多くの冷媒が集中的に流れ込んでしまう（ノズル付き区切板９７１のノズル７１ａにおいて圧力損失が生じるため、ノズル７１ａの上流側と下流側とで冷媒の圧力が相違するためである。）。このため、複数の扁平多穴管６３の間において冷媒の偏流が生じてしまうことになる。このように偏流が生じると、複数の扁平多穴管６３のそれぞれを流れる冷媒の状態が相違してしまい（一部については蒸発しきってしまった冷媒が流れる箇所が長くなり、他の一部については蒸発しきれない冷媒が流れ出てしまう等により）、室外熱交換器１１の性能を十分に発揮させることができないおそれがある。他方で、このような導入空間９７に扁平多穴管６３を接続しない構成にしてしまうと（図１８において点線で囲む扁平多穴管６３を省略すると）、外径の大きな第１接続配管２４の幅に対応する分だけ扁平多穴管６３を設けることができず、扁平多穴管６３の本数が減少し、室外熱交換器１１の能力が低減してしまう。そして、このように省略する扁平多穴管６３を、循環用空間９８の上方に追加することで扁平多穴管６３の本数を同数とさせる場合には、室外熱交換器１１が上下方向に大型化してしまう。
【０１１６】
これに対して、本実施形態の室外熱交換器１１では、第２ヘッダ集合管９０の第１上段折り返し連通空間９０Ａに対して、第１接続配管２４を介して冷媒が供給される構造を採用する場合において、第１接続配管２４の外径が扁平多穴管６３の上下方向の間隔よりも大きい場合や、第１接続配管２４の外径が導入空間９７におけるノズル付き部分傾斜区切部材７０のうちのノズル形成部７１と仕切板９１との間の上下方向の間隔よりも大きい場合や、第１接続配管２４の上端がノズル７１ａの直上の扁平多穴管６３の下端はよりも上方に位置している場合であっても、傾斜部７２を有するノズル付き部分傾斜区切部材７０を採用することで、導入空間９７におけるノズル７１ａの下方の空間を、第１接続配管２４の接続側の空間よりも、上下方向の幅を狭めることが可能になっている。
【０１１７】
これにより、導入空間９７の扁平多穴管６３側の上下方向の幅を狭めて、導入空間９７に接続される扁平多穴管６３の本数を少なく抑えることが可能になっている。
【０１１８】
特に、本実施形態では、第１上段折り返し連通空間９０Ａにおける循環用空間９８側においてのみ扁平多穴管６３を接続して、導入空間９７には扁平多穴管６３が接続されていない構成としている。このため、複数の扁平多穴管６３の間における冷媒の偏流を十分に抑制することが可能になっている。
【０１１９】
そして、このような偏流を抑制させる場合であっても、扁平多穴管６３を省略したり、循環用空間９８側に扁平多穴管６３を増設したりする必要が無いため、性能の低下や室外熱交換器１１の大型化も回避することが可能になっている。
【０１２０】
（７）変形例
（７−１）変形例Ａ
上記実施形態では、ノズル形成部７１と傾斜部７２を有するノズル付き部分傾斜区切部材７０が一部材によって構成されている場合を例に挙げて説明した。
【０１２１】
しかし、図１２に示すように、上昇用空間９８Ａの下面を構成するように設けられたノズル形成部材２７１と、ノズル形成部材２７１よりも高い位置において下降用空間９８Ｂの下面を構成するように設けられたガイド部材２７２と、に別れて構成されていてもよい。
【０１２２】
ここで、循環用区切板９５の一部であって下連通口９５ｂの下方部分を構成する上連絡部分９５ｆが、ノズル形成部材２７１の扁平多穴管６３側とは反対側の部分と、ガイド部材２７２の扁平多穴管６３側の部分と、を上下に繋ぐように設けられている。この構造により、第１接続配管２４を介して導入空間９７に流入した冷媒は、連続的ではなく段階的にではあるもののノズル７１ａの下方に導かれる。
【０１２３】
当該構造では、ノズル形成部材２７１の扁平多穴管６３側とは反対側の部分が、循環用区切板９５の上方挿入開口部分９５ｓに挿入されて固定されることになる。この構造では、循環用区切板９５には、上方挿入開口部分９５ｓと連絡口９５ｃと下方挿入開口部分９５ｔと上連通口９５ａとが含まれる１つの開口が形成されることになる。上記実施形態と比較して、さらに下連通口９５ｂが含まれていないものの、上方挿入開口部分９５ｓと連絡口９５ｃと下方挿入開口部分９５ｔと上連通口９５ａとを１つの開口とすることによる扁平多穴管６３の高集積化または室外熱交換器１１のコンパクト化は可能となっている。
【０１２４】
なお、当該ノズル形成部材２７１とガイド部材２７２とが上連絡部分９５ｆで繋いで構成された構造では、上記実施形態におけるノズル付き部分傾斜区切部材７０と比べると、第１接続配管２４を介して導入空間９７に流入した冷媒が上連絡部分９５ｆに強く衝突することによる圧力損失が生じやすく、上記実施形態におけるノズル付き部分傾斜区切部材７０では衝突を緩和できるいという観点から、上記実施形態におけるノズル付き部分傾斜区切部材７０の方が好ましい。
【０１２５】
なお、図示は省略するが、上記記載とは反対に、導入空間９７の上縁を、ノズル７１ａが形成された水平に広がる板状部材によって構成し、導入空間の下縁を、扁平多穴管６３が接続されている側において水平に広がるように設けられた扁平管側底部と、扁平管側底部よりも低い位置であって扁平多穴管６３が接続されている側とは反対側において水平に広がるように設けられた反多穴管側底部と、循環用区切板９５の一部であって導入空間９７の下方に位置する上連通口９５ａの上方部分を構成しており扁平管側底部の扁平多穴管６３側とは反対側の部分と反多穴管側底部の扁平多穴管６３側の部分とを上下に繋ぐ下連絡部分と、によって構成される構造であってもよい。
【０１２６】
また、さらには、上記ノズル形成部材２７１と、ガイド部材２７２と、上連絡部分９５ｆと、扁平管側底部と、反多穴管側底部と、下連絡部分と、の全てによって導入空間９７が構成されていてもよい。
【０１２７】
（７−２）変形例Ｂ
上記実施形態では、導入空間９７の上縁が傾斜部７２を有するノズル付き部分傾斜区切部材７０によって構成され、導入空間９７の下縁が水平に広がった仕切板９１によって構成された場合について例に挙げて説明した。
【０１２８】
しかし、導入空間９７は、図１３に示すように、ノズル７１ａを有しており、導入空間９７の上縁を構成するように水平に広がったノズル付き区切板３７０と、導入空間９７の下縁を構成する部分傾斜仕切部材３９１と、によって形成されていてもよい。
【０１２９】
部分傾斜仕切部材３９１は、水平仕切部３９１ａと、下方傾斜部３９１ｂと、被挟持端部３９１ｃと、を有している。水平仕切部３９１ａは、扁平多穴管６３側（上昇用空間９８Ａ側）に設けられており、水平に広がっている。下方傾斜部３９１ｂは、水平仕切部３９１ａの扁平多穴管６３側とは反対側から伸び出しており、扁平多穴管６３側とは反対側に向かうにつれて下方に位置するように傾斜している。被挟持端部３９１ｃは、下方傾斜部３９１ｂの扁平多穴管６３側とは反対側に連なっており、第２ヘッダ構成部材９０ｂに設けられた対応する開口部分に挿入固定される。
【０１３０】
以上の構成においても、第１接続配管２４の外径が大きい場合であっても、上記実施形態と同様の効果を奏することが可能である。
【０１３１】
当該構造では、ノズル付き区切板３７０が、循環用区切板９５の上方挿入開口部分９５ｓに挿入されて固定され、部分傾斜仕切部材３９１の水平仕切部３９１ａの扁平多穴管６３側とは反対側の部分が下方挿入開口部分９５ｔに挿入されて固定されることになる。この構造においても、上記実施形態と同様に、循環用区切板９５には、上方挿入開口部分９５ｓと連絡口９５ｃと下方挿入開口部分９５ｔと上連通口９５ａと下連通口９５ｂとが含まれる１つの開口である共用開口９５Ｕが形成されることになる。
【０１３２】
なお、第１接続配管２４の導入空間９７内の下端が、水平仕切部３９１ａの直下に位置する扁平多穴管６３と重なる高さ位置となる場合や水平仕切部３９１ａの直下に位置する扁平多穴管６３よりもさらに低い位置である場合であっても、下方傾斜部３９１ｂが傾斜して設けられていることで、第１接続配管２４を介して導入空間９７内に流入した冷媒を、ノズル７１ａの直下に導くことが可能になっている。
【０１３３】
また、部分傾斜仕切部材３９１が有する下方傾斜部３９１ｂは、下方傾斜部３９１ｂの扁平多穴管６３側の端部が水平仕切部３９１ａの扁平多穴管６３とは反対側の端部と同じ高さ位置でなだらかに繋がっている。このため、当該導入空間９７の下方に位置する循環用空間９８における上連通口９５ａを通過する冷媒は、通過抵抗を受けにくい。
【０１３４】
（７−３）変形例Ｃ
上記実施形態では、導入空間９７の上縁が傾斜部７２を有するノズル付き部分傾斜区切部材７０によって構成され、導入空間９７の下縁が水平に広がった仕切板９１によって構成された場合について例に挙げて説明した。
【０１３５】
これに対して、導入空間９７は、図１４に示すように、導入空間９７の上縁を上記実施形態と同様のノズル付き部分傾斜区切部材７０によって構成し、導入空間９７の下縁を変形例Ｂに記載の部分傾斜仕切部材３９１によって構成し、例えば、ノズル付き部分傾斜区切部材７０の傾斜部７２と部分傾斜仕切部材３９１の下方傾斜部３９１ｂとの間の空間における上下方向の中心に第１接続配管２４の軸を位置させるようにしてもよい。なお、この場合において、部分傾斜仕切部材３９１は、図１５に示すように、ノズル７１ａが形成されていない点以外はノズル付き部分傾斜区切部材７０と同じ形状のものとすることで、製造コストを削減することができる。
【０１３６】
当該構造では、上記実施形態と同様に、ノズル付き部分傾斜区切部材７０のノズル形成部７１の扁平多穴管６３側とは反対側が、循環用区切板９５の上方挿入開口部分９５ｓに挿入されて固定され、部分傾斜仕切部材３９１の水平仕切部３９１ａの扁平多穴管６３側とは反対側の部分が下方挿入開口部分９５ｔに挿入されて固定されることになる。この構造においても、上記実施形態と同様に、循環用区切板９５には、上方挿入開口部分９５ｓと連絡口９５ｃと下方挿入開口部分９５ｔと上連通口９５ａと下連通口９５ｂとが含まれる１つの開口である共用開口９５Ｕが形成されることになる。
【０１３７】
以上の構造によれば、ノズル付き部分傾斜区切部材７０の傾斜部７２が第２ヘッダ集合管９０における扁平多穴管６３の接続側とは反対側に向かうにつれて上方に位置するように伸びており、ノズル形成部７１が傾斜部７２の最も低い部分で繋がっているため、導入空間９７に接続される第１接続配管２４の上下方向の上限位置を高めることができると共に導入空間９７のうちの扁平多穴管６３が接続されている側の空間部分の上下方向の上端位置を下げることができる。さらに、部分傾斜仕切部材３９１の下方傾斜部３９１ｂが、第２ヘッダ集合管９０における扁平多穴管６３の接続側とは反対側に向かうにつれて下方に位置するように伸びており、水平仕切部３９１ａが下方傾斜部３９１ｂの最も高い部分で繋がっているため、導入空間９７に接続される第１接続配管２４の上下方向の下限位置を下げることができると共に導入空間９７のうちの扁平多穴管６３が接続されている側の空間部分の上下方向の下端位置を上げることができる。したがって、導入空間９７に接続することができる第１接続配管２４の外径が大きい場合であっても（例えば、第１接続配管２４の外周の上下方向における幅が扁平多穴管６３同士の間の上下方向における長さ以上であっても）、上下方向に等間隔で配置される扁平多穴管６３が導入空間９７に接続されることを防ぐか接続される本数を少なく抑えることが可能になる。
【０１３８】
さらに、導入空間９７のうち、ノズル付き部分傾斜区切部材７０の傾斜部７２と部分傾斜仕切部材３９１の下方傾斜部３９１ｂとで囲まれた部分における上下方向の中間位置に第１接続配管２４の中心軸が位置するように接続されているため、第１接続配管２４から導入空間９７に導入された冷媒の多くを、ノズル付き部分傾斜区切部材７０の傾斜部７２や部分傾斜仕切部材３９１の下方傾斜部３９１ｂへの衝突を抑制させつつ、ノズル付き部分傾斜区切部材７０のノズル形成部７１と部分傾斜仕切部材３９１の水平仕切部３９１ａとで囲まれた部分に向けて供給することができる。このため、冷媒流れがノズル付き部分傾斜区切部材７０の傾斜部７２や部分傾斜仕切部材３９１の下方傾斜部３９１ｂに衝突する際に生じる圧力損失を小さく抑えることが可能になっている。
【０１３９】
（７−４）変形例Ｄ
上記実施形態では、室外熱交換器１１の構造として、蒸発器として用いられる場合の冷媒流れにおいて、下段側の下段熱交換部６０Ｂを流れた後であって上段側の上段熱交換部６０Ａを供給される前の段階の冷媒が流れる位置（第１上段折り返し連通空間９０Ａ、第２上段折り返し連通空間９０Ｂ、第３上段折り返し連通空間９０Ｃ）において、ノズル７１ａを用いて冷媒を上昇させながら各高さ位置の扁平多穴管６３に対して分流させる構造を例に挙げて説明した。
【０１４０】
しかし、室外熱交換器１１において、ノズル７１ａを用いて冷媒を上昇させながら各高さ位置の扁平多穴管６３に対して分流させる構造が採用される箇所は、上記実施形態に限定されるものではない。
【０１４１】
例えば、図１６、図１７に示すように、それぞれ立設して設けられたヘッダ集合管５０と折返しヘッダ３０とが上下方向に並んだ複数の扁平多穴管６３によって連結されて構成された室外熱交換器１１ａにおいて、分流器９において分流された冷媒が各分岐管２０ａ〜２０ｄを介してヘッダ集合管５０内の各導入空間５１ｃ〜５４ｃに流入した後に箇所において、ノズルを用いて冷媒を上昇させながら各高さ位置の扁平多穴管６３に対して分流させるようにしてもよい。
【０１４２】
この室外熱交換器１１ａのヘッダ集合管５０の内部は、冷媒流れのパス毎に別れており、具体的には上方から順に第１〜第４分流空間５０Ａ〜５０Ｄに別れている。各第１〜第４分流空間５０Ａ〜５０Ｄは、上記実施形態と同様のノズル等が形成されていない部分傾斜仕切部材３９１によって上下に仕切られている。また、室外熱交換器１１ａの折返しヘッダ３０の内部も、冷媒流れのパス毎に別れており、ヘッダ集合管５０の第１〜第４分流空間５０Ａ〜５０Ｄにそれぞれ対応するように、上方から順に第１〜第４折返し空間３０Ａ〜３０Ｄに別れている。各第１〜第４折返し空間３０Ａ〜３０Ｄは、開口等が形成されていない仕切板２６、２７、２８によって上下に仕切られている。
【０１４３】
ヘッダ集合管５０の第１分流空間５０Ａ内は、さらに、上方から順に、上部空間５１ａ、循環用空間５１ｂ、導入空間５１ｃが並んで設けられている。上部空間５１ａと循環用空間５１ｂとは、仕切板５１ｘによって上下に仕切られている。循環用空間５１ｂと導入空間５１ｃとは、上記実施形態と同様のノズル付き部分傾斜区切部材７０によって上下に区切られている。なお、循環用空間５１ｂの内部については、循環用区切板９５が設けられて冷媒を循環させる構造である点等において、上記実施形態と同様である。また、導入空間９７の下縁が部分傾斜仕切部材３９１で構成され、導入空間９７の上縁がノズル付き部分傾斜区切部材７０で構成されている点は、上記変形例Ｃと同様である。
【０１４４】
ヘッダ集合管５０の第２分流空間５０Ｂ内は、第１分流空間５０Ａ内と同様であり、さらに、上方から順に、上部空間５２ａ、循環用空間５２ｂ、導入空間５２ｃが並んで設けられており、上部空間５２ａと循環用空間５２ｂとが仕切板５２ｘによって上下に仕切られ、循環用空間５２ｂと導入空間５２ｃとがノズル付き部分傾斜区切部材７０によって上下に区切られている。
【０１４５】
ヘッダ集合管５０の第３分流空間５０Ｃ内は、第１分流空間５０Ａ内と同様であり、さらに、上方から順に、上部空間５３ａ、循環用空間５３ｂ、導入空間５３ｃが並んで設けられており、上部空間５３ａと循環用空間５３ｂとが仕切板５１ｘによって上下に仕切られ、循環用空間５３ｂと導入空間５３ｃとがノズル付き部分傾斜区切部材７０によって上下に区切られている。
【０１４６】
ヘッダ集合管５０の第４分流空間５０Ｄ内は、さらに、上方から順に、上部空間５４ａ、循環用空間５４ｂ、導入空間５４ｃが並んで設けられており、上部空間５４ａと循環用空間５４ｂとが仕切板５４ｘによって上下に仕切られ、循環用空間５４ｂと導入空間５４ｃとがノズル付き部分傾斜区切部材７０によって上下に区切られている。なお、第４分流空間５０Ｄ内の導入空間５４ｃの下端は、ヘッダ集合管５０の端部によって構成されている。
【０１４７】
ヘッダ集合管５０において、第１分流空間５０Ａ内の上部空間５１ａからは合流配管５９ａが、第２分流空間５０Ｂ内の上部空間５２ａからは合流配管５９ｂが、第３分流空間５０Ｃ内の上部空間５３ａからは合流配管５９ｃが、第４分流空間５０Ｄ内の上部空間５４ａからは合流配管５９ｄが、それぞれ延びだしており、冷媒管１９が延びだしている合流部５９に接続されている。
【０１４８】
当該室外熱交換器１１ａが冷媒の蒸発器として用いられる場合には、分流器９において分流された冷媒が、各分岐管２０ａ〜２０ｄを介してヘッダ集合管５０内の各導入空間５１ｃ〜５４ｃに流入する。その後、各導入空間５１ｃ〜５４ｃの各ノズル付き部分傾斜区切部材７０のノズルを介して、それぞれ循環用空間５１ｂ〜５４ｂに吹き上げられた冷媒は、各循環用空間５１ｂ〜５４ｂにおいて上昇および循環しながら、各循環用空間５１ｂ〜５４ｂに接続された複数の扁平多穴管６３に向けて分流される。その後、扁平多穴管６３の他端まで流れることで折返しヘッダ３０に到達した冷媒は、より上方に接続されている複数の扁平多穴管６３に流入することで、再び、ヘッダ集合管５０側に向けて流れる。ヘッダ集合管５０の各上部空間５１ａ〜５４ａに到達した冷媒は、各合流配管５９ａ〜５９ｄを介して合流部５９に流入し、冷媒管１９に向けて流れていくことになる。なお、室外熱交換器１１ａが凝縮器として機能する場合には、概ね上記とは反対の流れとなる。
【０１４９】
以上の室外熱交換器１１ａの構造であっても、上記実施形態や上記各変形例に記載の例と同様の効果を奏することが可能である。
【０１５０】
（７−５）変形例Ｅ
上記実施形態では、導入空間９７に扁平多穴管６３が接続されていない場合を例に挙げて説明した。
【０１５１】
これに対して、導入空間９７に扁平多穴管６３が接続されている構成としてもよい、この場合であっても、導入空間９７の第１接続配管２４の接続側よりもノズル７１ａ側の方が上下方向の幅を狭くすることができているため、導入空間９７に接続される扁平多穴管６３の本数を少なく抑えることができる。これにより、導入空間９７においてノズル７１ａを通過する前の圧力が高めの冷媒が流れていく扁平多穴管６３を少なくすることができるため、複数の扁平多穴管６３の間における冷媒の偏流をできるだけ小さく抑えることができる。
【０１５２】
以上、本開示の実施形態及び変形例を説明したが、特許請求の範囲に記載された本開示の趣旨及び範囲から逸脱することなく、形態や詳細の多様な変更が可能なことが理解されるであろう。
【符号の説明】
【０１５３】
１      空気調和装置
２      室外ユニット
１１、１１ａ    室外熱交換器（熱交換器）
２０ａ〜２０ｄ    分岐管（冷媒配管）
２４    第１接続配管（冷媒配管）
２５    第２接続配管（冷媒配管）
５０    ヘッダ集合管（ヘッダ）
５１ａ〜５４ａ    上部空間
５１ｂ〜５４ｂ    循環用空間
５１ｃ〜５４ｃ    導入空間
６３    扁平多穴管（扁平管）
６３ａ  扁平面
６４    フィン
７０    ノズル付き部分傾斜区切部材（第２仕切部材、第１側部材）
７１    ノズル形成部
７１ａ  ノズル
７２    傾斜部
９０    第２ヘッダ集合管（ヘッダ）
９０ａ  第１ヘッダ構成部材
９０ｂ  第２ヘッダ構成部材
９１    仕切板（第２仕切部材、第２側部材）
９２    仕切板（第２仕切部材、第２側部材）
９５    循環用区切板（第１仕切部材）
９５ａ  上連通口（第２循環開口部分）
９５ｂ  下連通口（第１循環開口部分）
９５ｃ  連絡口（冷媒開口部分）
９５ｄ  上方支持突起（第２仕切部材の位置を定める形状）
９５ｇ  上端支持部
９５ｈ  下方支持突起
９５ｓ  上方挿入開口部分（第１側挿入開口部分、挿入開口部分）
９５ｔ  下方挿入開口部分（第２側挿入開口部分、挿入開口部分）
９５Ｕ  共用開口
９７    導入空間（第１側部材と第２側部材とで囲まれた空間）
９８    循環用空間（上方空間、上方の空間）
９８Ａ  上昇用空間（扁平管側空間）
９８Ｂ  下降用空間（反対扁平管側空間）
２９５ｆ  連絡部分
２７１  ノズル形成部材（第２仕切部材、第１側部材）
２７２  ガイド部材
３７０  ノズル付き区切板（第２仕切部材、第１側部材）
３９１  部分傾斜仕切部材（第２仕切部材、第２側部材）
３９１ｂ  下方傾斜部
【先行技術文献】
【特許文献】
【０１５４】
特許文献１：特開２０１６−１２５７４８号公報
【図１】
2019056542.tif 000003
【図２】
2019056542.tif 000004
【図３】
2019056542.tif 000005
【図４】
2019056542.tif 000006
【図５】
2019056542.tif 000007
【図６】
2019056542.tif 000008
【図７】
2019056542.tif 000009
【図８】
2019056542.tif 000010
【図９】
2019056542.tif 000011
【図１０】
2019056542.tif 000012
【図１１】
2019056542.tif 000013
【図１２】
2019056542.tif 000014
【図１３】
2019056542.tif 000015
【図１４】
2019056542.tif 000016
【図１５】
2019056542.tif 000017
【図１６】
2019056542.tif 000018
【図１７】
2019056542.tif 000019
【図１８】
2019056542.tif 000020
【図１９】
2019056542.tif 000021